(57)【要約】【課題】河川に設置する人工の漁礁を、種々の形状をとるワンドに、その形状に適合する形態のものとして、簡単な据付工事により適確に設置施工が行え、かつ、淡水魚の習性によく適応するものとして設置していけるように構成する。【解決手段】木材を用いて多段の棚段状に組立て周縁部に、木材よりなる支柱１１を組付けて魚礁本体１を構築し、かつ、それの周縁部に組付ける支柱１１を、予め設定した区域の輪郭となる外縁部に所定の配列位置を占めるよう配位して組付け、単位形状となる魚礁本体１に構成し、これを組付けるコンクリートにより成形するベース２を、魚礁本体１の底面の形状に略対応する平盤状の盤体に成形して、前記魚礁本体１の支柱１１の配列位置と対応する位置に、その支柱１１を嵌挿せしめる嵌合穴２２を配位して形設し、このベース２と前記魚礁本体１との結合により魚礁に組立てる。【選択図】図２
2005295839.tif 000002
【特許請求の範囲】
【請求項１】
間伐材等の木材を用いて多段の棚段状に組立て周縁部に、木材よりなる支柱１１を組付けて魚礁本体１を構築し、かつ、それの周縁部に組付ける支柱１１を、予め設定した区域の輪郭となる外縁部に設定する所定の配列位置を占めるよう配位して組付け、この支柱で囲まれる輪郭が単位形状となる魚礁本体１に構成し、これを組付けるコンクリートにより成形するベース２を、コンクリートにより平面視において、魚礁本体１の底面の形状に略対応する平盤状の盤体に成形して、それの周縁部の、前記魚礁本体１の周縁部に組付けた支柱１１の配列位置と対応する位置に、その支柱１１の下端側を嵌挿せしめる嵌合穴２２を配位して形設し、このベース２と前記魚礁本体１との止着ボルトによる緊縛・結合により魚礁に組立てることを特徴とする淡水魚用の魚礁。
【請求項２】
ベース２の周縁部に形設する嵌合穴２２に嵌挿する魚礁本体１の支柱１１を止着ボルトによりベース２に対し緊縛するときの作業穴となる位置に、ベース２の重量軽減のための余肉抜き用の抜き穴２０・２１を形設することを特徴とする淡水魚用の魚礁。
【請求項３】
ベース２の底面で、ベース２の周縁部に形設せる嵌合穴２２の下方となる部位に、ベース２の下方に突起状に突出する突起体２ａを、嵌合穴２２の下方延長部を囲む筒状に形設して、その嵌合穴２２を突起体２ａの底面に開口させることを特徴とする淡水魚用の魚礁。
【請求項４】
ベース２の底面で、ベース２の周縁部に形設せる嵌合穴２２の下方となる部位に、ベース２の下方に突起状に突出する突起体２ａを、嵌合穴２２の下方延長部を囲む筒状に形設して、この突起体２ａに、支柱１１緊縛用の止着ボルトのボルト挿通孔２３を設け、かつ、この突起体２ａのベース２の外周に向かう周壁を、ベース２の外周の壁面に倣う平らな面に形成して、この突起体２ａの周壁がベース２とベース２とを接合して接続連結するときの接合面となるようにしたことを特徴とする請求項１記載の淡水魚用の魚礁。
【発明の詳細な説明】
【技術分野】
【０００１】
本発明は、魚類の隠れ場・餌場・産卵場となるように設置する魚礁に関し、特に、河川の河床に設置して、河川に生棲する淡水魚の隠れ場・越冬場・産卵場となるようにする淡水魚用の魚礁についての改良に関するものである。
【背景技術】
【０００２】
魚礁には、種々の構造・形状のものがあり、従来から各所に設置されている。この従前の魚礁は、その殆どが海中に設置した、鹹水魚を対象としているもので、コンクリート・鉄・プラスチックで作られた構造が比較的単純な半永久的な構造物である。
【０００３】
河川に生棲する淡水魚は、海中に生棲する鹹水魚とは、習性を異にしている。淡水魚は、棲み家、隠れ場は、河床の石の間隙とするが、産卵は、水面近くに繁茂する水草の根に産み付けるようにしている。このため、海中に設置する鹹水魚用の魚礁は、それをそのまま河川に設置しても、淡水魚用の魚礁にはならない。
【０００４】
河川は、もともとの天然・自然のものには、そこに生棲する淡水魚の、隠れ場・産卵場となる場所が存在しているが、コンクリートによる護岸整備や河川改修により、これらの淡水魚の生息に適応する場所が激減してきていることで、魚類の生息に適さない環境のものとなって、河川の生態系を崩し、河川を見苦しく汚れた状態にしてきている。
【０００５】
このことから、河川の生態系を昔日の自然の状態に戻すため、護岸整備・河川改修が行われている河川に、淡水魚の生棲に適応する形態の人工の漁礁の設置が望まれてきている。
【０００６】
護岸整備・河川改修が施工された河川でも、魚類が生棲し産卵場所となるのに適応するよう流れの蛇行により形成される淵（ワンド）となるところはある。このワンド（弯曲した岸辺）に、人工の漁礁を設置すればよいわけであるが、設置する魚礁は、自然の生態系を崩さず、自然環境に適応する形態のもので、かつ、淡水魚の生棲の習性に適応する構造のものであることが望まれ、しかも、設置場所に、自然の景観を損なわずに、所定の位置に安定して敷設し得ることが要求される。
【発明の開示】
【発明が解決しようとする課題】
【０００７】
本発明において解決しようとする問題点は、河川に設置する人工の漁礁を、種々の形状をとるワンドに、その形状に適合する形態のものとして、簡単な据付工事により適確に設置施工が行え、かつ、淡水魚の習性によく適応するものとして設置していけるように構成することにある。
【課題を解決するための手段】
【０００８】
そして本発明においては、上述の課題を解決するための手段として、請求項１に記載した間伐材等の木材を用いて多段の棚段状に組立て周縁部に、木材よりなる支柱１１を組付けて魚礁本体１を構築し、かつ、それの周縁部に組付ける支柱１１を、予め設定した区域の輪郭となる外縁部に設定する所定の配列位置を占めるよう配位して組付け、この支柱で囲まれる輪郭が単位形状となる魚礁本体１に構成し、これを組付けるコンクリートにより成形するベース２を、コンクリートにより平面視において、魚礁本体１の底面の形状に略対応する平盤状の盤体に成形して、それの周縁部の、前記魚礁本体１の周縁部に組付けた支柱１１の配列位置と対応する位置に、その支柱１１の下端側を嵌挿せしめる嵌合穴２２を配位して形設し、このベース２と前記魚礁本体１との止着ボルトによる緊縛・結合により魚礁に組立てることを特徴とする淡水魚用の魚礁を提起するものである。
【０００９】
また、これに併せて請求項２に記載したベース２の周縁部に形設する嵌合穴２２に嵌挿する魚礁本体１の支柱１１を止着ボルトによりベース２に対し緊縛するときの作業穴となる位置に、ベース２の重量軽減のための余肉抜き用の抜き穴２０・２１を形設することを特徴とする淡水魚用の魚礁を提起し、さらに、請求項３に記載したベース２の底面で、ベース２の周縁部に形設せる嵌合穴２２の下方となる部位に、ベース２の下方に突起状に突出する突起体２ａを、嵌合穴２２の下方延長部を囲む筒状に形設して、その嵌合穴２２を突起体２ａの底面に開口させることを特徴とする淡水魚用の魚礁および請求項４に記載したベース２の底面で、ベース２の周縁部に形設せる嵌合穴２２の下方となる部位に、ベース２の下方に突起状に突出する突起体２ａを、嵌合穴２２の下方延長部を囲む筒状に形設して、この突起体２ａに、支柱１１緊縛用の止着ボルトのボルト挿通孔２３を設け、かつ、この突起体２ａのベース２の外周に向かう周壁を、ベース２の外周の壁面に倣う平らな面に形成して、この突起体２ａの周壁がベース２とベース２とを接合して接続連結するときの接合面となるようにしたことを特徴とする請求項１記載の淡水魚用の魚礁を提起するものである。
【発明の効果】
【００１０】
この本発明手段による魚礁は、河川内の岸辺の、なるべくは淵を形成している部位に設置するときに、単位体に成形したベースを、淵の適宜の場所に敷設し、それの嵌合穴に単位体に組立てた魚礁本体の周縁部の支柱を嵌挿して止着ボルトにより緊縛し、そのとき、そのベースの長手方向の一端側または巾方向の一側に、単位体に成形してある別のベースの一端側または一側を接合して、それに魚礁本体を組付けながら、先に敷設したベースに緊縛して接続していくのを順次重ねていくことで、設置しようとする淵の形状に倣う所望の形状に魚礁を設置していくのを、簡易な施工工事で行えるようになる。
【００１１】
そして、設置した魚礁は、木材を用いて多段の棚段状に組立てられ、それの最上位の棚面を、水草の栽培床として、それの根が産卵場となるようにし、多段の棚間隔を、魚の隠れ場とするようにしていることから、自然の景観を殆ど崩すことなく、淡水魚に適応する魚礁の設置が行えるようになる。
【発明を実施するための最良の形態】
【００１２】
本発明による淡水魚用の魚礁は、崩壊したときの腐蝕分解が自然の循環系に組込まれる間伐材の丸太材等の木材類を主体として組立て構築する魚礁本体と、これを組付けて、所定の場所に据付け設置するようコンクリートで成形するベースとで構成するが。そして、この魚礁本体及びベースは、それぞれ一定の規格形状の単位体として形成する。
【００１３】
単位体として形成する魚礁本体は、間伐材等の木材を用いて多段の棚段状に組立てて構築し、それの周縁部に支柱を組付けて構成する際、用いる木材の長さ寸法および組立てた棚状体の形状・寸法については、所望に設定する規格寸法に略揃う程度でよいが、その組立てた棚状体の周縁部に組付ける支柱については、予め設定した所定の区域の輪郭となる外縁部に設定する所定の配列位置を占めるように配位して組付け、この予め設定した区域の外縁部に組付ける支柱で囲まれるようになる魚礁本体が所定の単位体を構成するようにする。
【００１４】
また、この単位体に構成する魚礁本体を組付け固定するベースは、コンクリートにより、上述の単位体に構成する魚礁本体の床面の形状・面積に略対応する形状・面積を具備する平盤状の盤体に、成形し、その成形の際、取扱いを便利にするよう軽量化するための余肉の抜き穴を所望の個所に形設し、また、外周縁部には、前記魚礁本体の周縁部に組付ける支柱の下端側を嵌挿せしめる嵌合穴を形設し、さらに、この嵌合穴に嵌挿した支柱の下端側をベースに対して緊縛する止着ボルトを挿通するボルト挿通孔を形設して、ベースを構成するが、このとき、ベースの周縁部に形設する嵌合穴を、前述の単位体に組立てる魚礁本体の周縁部に組付けた支柱の配列位置に対応する位置にそれぞれ開設して、この嵌合穴に、魚礁本体の支柱が嵌挿されるようにし、これにより、単位体に組立てた魚礁本体と対応する単位体のベースを構成する。
【００１５】
この、魚礁本体およびベースは、ベースを先に成形しておいて、それの嵌合穴に支柱をそれぞれ嵌挿して立設し、それら支柱に木材を組付けて魚礁本体を組立て、それが組み上げられたところで、ベースからこの魚礁本体を外し、次の魚礁本体をベース上に組立てていくようにしてよい。
【００１６】
また、ベースに形設する支柱緊縛用のボルト挿通孔は、ベースの外周に一端側が開口するように形設して、このボルト挿通孔に挿通する止着ボルトで、一つの単位体に成形したベースに、単位体に成形した別のベースの周面の一部を突き合わせて接合したときに、それらを緊縛して接続結合させるのに利用するようにしてよい。
【００１７】
そして、本発明は、このようにして組立てる単位体の魚礁本体と、それを組付ける単位体のベースとで、魚礁を構成するようにする。
【実施例】
【００１８】
次に本発明の実施例を図面に従い詳述する。
図１は本発明による魚礁を河川内の河岸近くに設置した実施例の斜視図、図２は同上の魚礁の斜視図、図３は同上魚礁の組立て途上における斜視図である。
【００１９】
これら図において、Ａは魚礁、１は魚礁本体、２はこれを組付けて、河川内の所望の個所に定置するためのベースを示す。
【００２０】
魚礁本体１は、間伐材などの丸太材または廃棄された家屋の柱材などの木材１０を組み合わせて多段の棚段状に構築し、それの最上位の棚段１ａの上面に粗朶３・土砂４を敷き詰めて、ここに、水草の栽培床ａを形成し、次位・３位…の各棚段１ｂ・１ｃ・１ｄの上面に形成される上下の間隔内には、石５・粗朶３等の魚の棲み家となる間隙を形成する間隙形成材ｂを充填して組立ててあり、周縁部には所望の場所に設置するための支柱１１が組付けてある。
【００２１】
ベース２は、上述の魚礁本体１を、河川内の所定の場所に据え付け定置させるための基礎となるもので、コンクリートにより、平盤状に成形してある。
【００２２】
このベース２は、コンクリートにより成形するときに、それの取り扱いを便にするよう、持ち運びを可能にする重量で、なるべく面積の広い平らな盤状に成形するが、このとき、ジグソウパズルのように継ぎ合わせを可能とする一定の規格形状のものに成形して、これを多数用意しておき、これらを適宜・継ぎ合わせるように組み合わせて用いるようにすることが望ましい。
【００２３】
図４、図５、図６は、この一定形状の規格寸法のものに成形したベース２の一例を示している。このベース２は、平面視において、略短冊状の長方形で、側面視において平盤状をなすようにコンクリートにより成形するが、その成形の際、長手方向の中心で巾方向の中央部位に、余肉を抜いて重量を軽減するための円形の抜き穴２０を形成し、かつ左右の側縁には、前記円形の抜き穴２０を半載した半円形状の抜き穴２１を、前記円形の抜き穴２０に対し千鳥に喰い違うよう配位してそれぞれ形設し、長手方向の両端縁には、同様の半円形状の抜き穴２１を巾方向の中央部位に形設しておき、さらに、魚礁本体１の周縁部に設ける支柱１１を嵌挿せしめて魚礁本体１をベース２に組付けるための嵌合穴２２を、該ベース２のコーナー部と、前述の円形の抜き穴２０の左右の両側に位置する部位に設けておいて、平面視において前述の図４にある形状のものに形成している。
【００２４】
また、ベース２には、上述の嵌合穴２２に嵌挿した魚礁本体１の支柱１１を、ベース２に緊縛固定する止着ボルトを貫通せしめるためのボルト挿通孔２３を設けるが、このボルト挿通孔２３は、図４において鎖線に示しているように、一端または両端が、余肉抜きのために形成した抜き穴２０・２１の内壁面に開口するように形成して、これにより、抜き穴２０・２１が、嵌合穴２２に魚礁本体１の支柱１１の下端側を嵌挿して、それを止着ボルトによりベース２に緊縛していくときに、その止着ボルトを緊縛する作業を行うための作業穴に用いられるようにする。
【００２５】
この魚礁本体１の支柱１１を止着ボルトの挿通によりベース２に緊縛固定する手段は、ベース２を継ぎ合わせ連結して、図７にあるように所望の形状に連続させた形態のものに組み合わせていくのにも用いられる。
【００２６】
即ち、前述した一定形状の規格寸法のものに成形したベース２を、図７にあるように長手方向の端縁同志を突き合わせるように接合して、止着ボルトを挿通し緊縛することで長手方向に長く連続する状態になる。また、巾方向の側縁同志を突き合わせて、止着ボルトで緊縛連結することで図８の如く巾方向に連続するようになり、これに、長手方向に突き合わせていくことで、板状に連続するようになって、図９にあるように、ジグソウパズルのように所望の形状のものに組立てられるようになる。
【００２７】
このベース２の組付け連結は、河川の、魚礁Ａを設置しようとする場所に、ベース２を敷設しながら行ってよく、そのようにすることが望ましい。このとき、ベース２に大して魚礁本体１を組付け緊縛していく作業は、ベース２の敷設作業に併せて、同時並行的に行うようにする。
【００２８】
このため、魚礁本体１は、一つのベース２に組付ける形態の単位体として組立て構築しておき、その組立てた単位体の魚礁本体１を、敷設していくベース２のそれぞれに組付けていくようにする。
【００２９】
このことから、その単位体の魚礁本体１の支柱１１のそれぞれの下端側には、ベース２の嵌合穴２２に嵌挿したときに、ベース２に形設しておくボルト挿通孔と対応する位置にボルト挿通孔１２を予め開設しておくことが望ましい。
【００３０】
単位体とした魚礁本体１をの組立て構築は、河川の岸辺または工場の作業舎において、既に成形してある単位形状のベース２を、組立て用の治具に用いて、それの嵌合穴２２に支柱１１をそれぞれ嵌挿し、その支柱１１に丸太状または柱状の木材１０を組付けて組立てることで構築し、組立てたところでベース２から外して敷設すべき場所に運ぶようにし、この組立ての際に、組立てた魚礁本体１の支柱１１の下端部で、ベース２の嵌合穴２２に嵌合している部位に、ベース２に設けてあるボルト挿通孔からドリルを刺し込んでボルト挿通孔を開設するようにして、各支柱１１の下端側の所定位置にボルト挿通孔が予め設けてある状態としてよい。
【００３１】
これにより、組立て構築した魚礁本体１は、一定の規格寸法の単位体に成形したベース２を敷設しながら所望の形状に接続していくときに、それらのベース２に予め単位体として組立て構築しておいた魚礁本体１を順次組付け、ベース２を接続する止着ボルトを支柱１１に設けておいたボルト挿通孔を経てベース２とベース２とを緊縛していくように挿通することで、ベース２の敷設とそのベース２に対する魚礁本体１の緊縛固定が並行し行えるようにしている。
【００３２】
次に図１０乃至図１６は、別の実施例を示している。この例は、ベース２を一定の規格形状の単位体としてコンクリートにより成形し、そのベース２には重量軽減用の抜き穴２０・２１と、魚礁本体１の支柱１１の下端側を嵌挿せしめる嵌合穴２２とを形設し、また、嵌合穴２２に嵌挿する魚礁本体１の支柱１１を緊縛固定するための止着ボルトの挿通孔２３を形設しておくことについては、前述の実施例と変わりがなく、かつ、このベース２に魚礁本体１の支柱１１を嵌挿するための前記嵌合穴２２は、一定の規格寸法に成形したベース２のうちの所望のベース２を組立て用の治具に用いて、木材１０により魚礁本体１を所定の形状の単位体に予め組立て、この魚礁本体１の支柱１１を嵌挿していけるように配位してベース２に形設しておくことについては、前述の実施例のものと変わりがないように形設してある。
【００３３】
しかし、このベース２の底面には、下方に向けて下駄の歯状に突出する突起体２ａが、複数個設けてあって、このベース２を河川の適宜の場所の河底に敷設したときに、ベース２の底面と河底との間に、突起体２ａの突出高さに対応する深さの空間が形成されて、このベース２の底面の下方にも淡水魚の棲み家となる空洞が形成されるようにしてある。
【００３４】
そして、このベース２の底面に設ける突起体２ａは、ベース２に設ける嵌合穴２２の下面に位置する突起体２ａにあっては、その嵌合穴２２の下方延長部を取り囲む短い角筒状に形成して、この突起体２ａに、魚礁本体１の支柱１１を緊縛するよう挿通する止着ボルトの挿通孔２３を、図１０において鎖線に示しているように平面視にて十字にクロスするように形設してあって、これにより、魚礁本体１の支柱１１のベース２に対する緊縛固定が、突起体２ａにより行われるようにしている。
【００３５】
この角筒状の突起体２ａは、それの、ベース２の外側に向かう壁面が、ベース２の巾方向の側縁の端面および長手方向の端縁の端面に略揃う平らな面に成形してあって、これにより、ベース２を順次接続していくときに、図１４・図１５・図１６にあるようその接続が、突起体２ａの壁面を、互いに接合させた状態で行われ、その接合する突起体２ａと突起体２ａとを止着ボルトの挿通で緊縛することで、ベース２とベース２との接続が行われるようにしている。
【００３６】
この突起体２ａは、ベース２をコンクリートにより成形するときに、一体に連続させて成形するものであり、また、嵌合穴２２は、この成形の際、突起体２ａの底面に下端が開放するように形成している。
【００３７】
このベース２に組み合わせる魚礁本体１は、前述の実施例の場合と同様に、図１３にあるよう間伐材の丸太、廃棄した建物の柱材などの木材１０を用いて、多段の棚段状の魚礁本体１に組立て、それの最上位の棚面には、粗朶類を敷き詰めてそれの上に土砂を盛って水草の栽培床ａに形成し、次位以下の各棚隔内には、粗朶類石等の適宜の間隔形成材ｂを装入して淡水魚の棲み家、かくれ場所を形成しておいて、前述のベース２に対し組付け、ベース２とともに河川のなるべく淵となる場所に設置して魚礁Ａとする。
【図面の簡単な説明】
【００３８】
【図１】本発明による淡水魚用の魚礁を河川の岸辺近くに設置した状態の斜視図である。
【図２】同上の魚礁の、河川の水を取り除いた状態の斜視図である。
【図３】同上の魚礁の組立て途上の斜視図である。
【図４】同上の魚礁のベースの平面図である。
【図５】同上のベースの側面図である。
【図６】同上のベースの正面図である。
【図７】同上のベースを長手方向に接続した状態の斜視図である。
【図８】同上のベースを巾方向に接続した状態の斜視図である。
【図９】同上のベースを多数個接続した状態の斜視図である。
【図１０】同上の魚礁の別の実施例のベースの平面図である。
【図１１】同上のベースの側面図である。
【図１２】同上のベースの正面図である。
【図１３】同上の魚礁の組立て途上における斜視図である。
【図１４】同上の魚礁のベースの、長手方向に接続した状態の斜視図である。
【図１５】同上の魚礁のベースの、巾方向に接続した状態の斜視図である。
【図１６】同上の魚礁のベースを、多数個接続した状態の斜視図である。
【符号の説明】
【００３９】
Ａ…魚礁、ａ…栽培床、ｂ…間隙形成材、１…魚礁本体、１ａ…最上位の棚段、１ｂ…次位の棚段、１ｃ…３位の棚段、１ｄ…４位の棚段、１０…木材、１１…支柱、１２…ボルト挿通孔、２…ベース、２ａ…突起体、２０…円形の抜き穴、２１…半円形状の抜き穴、２２…嵌合穴、２３…ボルト挿通孔、３…粗朶、４…土砂、５…石。
【図１】
2005295839.tif 000003
【図２】
2005295839.tif 000004
【図３】
2005295839.tif 000005
【図４】
2005295839.tif 000006
【図５】
2005295839.tif 000007
【図６】
2005295839.tif 000008
【図７】
2005295839.tif 000009
【図８】
2005295839.tif 000010
【図９】
2005295839.tif 000011
【図１０】
2005295839.tif 000012
【図１１】
2005295839.tif 000013
【図１２】
2005295839.tif 000014
【図１３】
2005295839.tif 000015
【図１４】
2005295839.tif 000016
【図１５】
2005295839.tif 000017
【図１６】
2005295839.tif 000018